(57)【要約】      （修正有）【課題】電解コンデンサの電解液の蒸発・噴霧ガスの噴出を外見上見えなくすることができる、電気機器及び照明器具を提供する。【解決手段】電解コンデンサが実装された回路基板２０と、略矩形状を有する底板１３と、この底板１３の二長辺から立ち上がるように折曲げられて形成された側壁とを有し、回路基板２０を保持するベースケース１１と、ベースケース１１の蓋であって天板１７及び側壁を有し、回路基板２０及び回路基板２０に実装された部品を内包するためのカバーケース１２と、回路基板２０において上記電解コンデンサを挟む位置に実装され、少なくとも一部が前記カバーケース１２の天板１７及び側壁面に沿った形状を有する一対の電気部品であるトランス２１ｂとを具備する。【選択図】図４
2010258163.tif 000002
【特許請求の範囲】
【請求項１】
電解コンデンサが実装された回路基板と；
略矩形状を有する底板と、この底板の二長辺から立ち上がるように折曲げられて形成された側壁とを有し、回路基板を保持するベースケースと；
ベースケースの蓋であって天板及び側壁を有し、回路基板及び回路基板に実装された部品を内包するためのカバーケースと；
回路基板において上記電解コンデンサを挟む位置に実装され、少なくとも一部が前記カバーケースの天板及び側壁面に沿った形状を有する一対の電気部品と
を具備することを特徴とする電気機器。
【請求項２】
カバーケースの天板は、最上部の平坦な中央天板と、この中央天板の二長辺から傾斜するように延びるサイド天板とにより構成され、
一対の電気部品が、前記中央天板及び前記サイド天板に沿った平坦部及び陵部を有するボビンを具備するコイル部品により構成されていることを特徴とする請求項１に記載の電気機器。
【請求項３】
点灯装置として使用される請求項１または２に記載の電気機器と；
点灯装置により点灯される光源と；
前記点灯装置及び光源を配置している器具本体と
を具備することを特徴とする照明器具。
【発明の詳細な説明】
【技術分野】
【０００１】
この発明は、電解コンデンサを有する点灯装置等の電気機器及び、この電気機器を用いて構成した照明器具に関するものである。
【背景技術】
【０００２】
電気機器である例えば放電ランプを点灯させる点灯装置には、直流電源の平滑を行う電解コンデンサが設けられている。
【０００３】
電解コンデンサは、経年変化により電解液が蒸発等の原因により減少し、寿命末期になると、電解液の減少による容量低下に加えて電解液の等価直列抵抗が上昇し、温度が上昇する。更に、発熱が大きくなって熱暴走を引き起こすことから、急激に温度上昇して電解液の沸点を超えて電解液の蒸発ガスが発生し、その圧力でケースが破裂する危険がある。
【０００４】
そこで、電解コンデンサにおけるケースの一部に安全弁が設けられたものが提供されており、電解液の蒸発ガスによってケース内圧が所定以上に達した場合には、安全弁が作動して電解液の蒸発ガスを外部に噴出させ、ケースの破裂を防止するようにしている。安全弁が作動することによって、ケース内の異常な圧力上昇を抑えることができるが、外部に噴出した電解液の蒸発ガスまたは噴霧ガス（ミスト）が煙のように見えるため、使用者が発煙と誤認し、火災などと判断し易い。
【０００５】
そこで、上記のような現象を防止するため、安全弁から外部に放出された気体を収容する外側気密手段を備えた電解コンデンサが知られている（特許文献１参照）。更に、収容部、縦伸縮部及び環状伸縮部からなるキャップを取付けた電解コンデンサも提案されている（特許文献２参照）。
【発明の概要】
【発明が解決しようとする課題】
【０００６】
しかしながら、上記特許文献１や特許文献２に示されたものは、電解液の蒸発ガスの噴出力に対応するには不十分であり、外側気密手段やキャップが蒸発ガスまたは噴霧ガスの噴出力によって金属ケースから離脱してしまう可能性がある。また、キャップを有さない電解コンデンサが実装された放電ランプの点灯装置に対して、後にキャップを取り付けることは困難であり、予めキャップを有する上記電解コンデンサを用いることが必要となる。
【０００７】
本発明は、上記のような電気機器の現状に鑑みなされたもので、電解コンデンサから噴出した電解液の蒸発ガスが外部に放出し難くすることによって使用者が発煙と誤認することを防止可能な電気機器を提供することを目的とする。
【課題を解決するための手段】
【０００８】
本発明に係る電気機器は、電解コンデンサが実装された回路基板と；略矩形状を有する底板と、この底板の二長辺から立ち上がるように折曲げられて形成された側壁とを有し、回路基板を保持するベースケースと；ベースケースの蓋であって天板及び側壁を有し、回路基板及び回路基板に実装された部品を内包するためのカバーケースと；回路基板において上記電解コンデンサを挟む位置に実装され、少なくとも一部が前記カバーケースの天板及び側壁面に沿った形状を有する一対の電気部品とを具備することを特徴とする。
【０００９】
カバーケースの天板及び側壁面に沿った形状とは、一対の電気部品の一部が天板と側壁面に直接或いは間接に接し、電解コンデンサの蒸発・噴霧ガスを留めることができれば良い。従って、一対の電気部品と天板及び側壁面とは、完全に同一形状であっても良いし、僅かに間隙が生じても良い。電解コンデンサの蒸発・噴霧ガスを留めるために、一対の電気部品と天板及び側壁面との間に、例えば絶縁性の樹脂によるスペーサを介在させることを許容する。
【００１０】
本発明に係る電気機器では、カバーケースの天板が、最上部の平坦な中央天板と、この中央天板の二長辺から傾斜するように延びるサイド天板とにより構成され、一対の電気部品が、前記中央天板及び前記サイド天板に沿った平坦部及び陵部を有するボビンを具備するコイル部品により構成されていることを特徴とする。
【００１１】
コイル部品としては、電源回路に用いられるトランスを挙げることができるが、トランスに限定されるものではない。陵部は、ボビンと一体の部材で形成されても別体の部材で形成されても良い。
【００１２】
本発明に係る照明器具は、点灯装置として使用される請求項１または２に記載の電気機器と；点灯装置により点灯される光源と；前記点灯装置及び光源を配置している器具本体とを具備することを特徴とする。
【発明の効果】
【００１３】
本発明に係る電気機器は、一対の電気部品が、回路基板において上記電解コンデンサを挟む位置に実装され、少なくとも一部が前記カバーケースの天板及び側壁面に沿った形状を有し、電解コンデンサの蒸発・噴霧ガスを留めることから、電解液の蒸発ガス・噴霧が噴出した場合にも当該ガスがベースケースとカバーケースにより構成される筐体外に漏れ出し難くなり、使用者が発煙と誤認することを防止可能である。
【００１４】
本発明に係る電気機器では、一対の電気部品が、前記中央天板及び前記サイド天板に沿った平坦部及び陵部を有するボビンを具備するコイル部品により構成されているので、一対のコイル部品を用いている現状の点灯装置にそのまま適用可能であり、また、平坦部及び陵部を有するボビンを採用することで、的確に電解コンデンサの蒸発・噴霧ガスを留め、当該ガスが筐体外に漏れ出し難くなる。
【００１５】
本発明に係る照明器具は、点灯装置として使用される請求項１または２に記載の電気機器を備えているので、電解液の蒸発・噴霧ガスが噴出した場合にも当該ガスがベースケースとカバーケースにより構成される筐体外に漏れ出し難くなり、使用者が発煙と誤認することを防止可能である。
【図面の簡単な説明】
【００１６】
【図１】本発明に係る電気機器の実施形態としての点灯装置における電気部品を内包した状態の斜視図。
【図２】本発明に係る電気機器の実施形態としての点灯装置における組み立て状態の斜視図。
【図３】本発明に係る電気機器の実施形態としての点灯装置における側面図。
【図４】図３のＡ−Ａ断面図。
【図５】本発明に係る電気機器の実施形態としての点灯装置を用いて構成した照明器具の斜視図。
【発明を実施するための形態】
【００１７】
以下添付図面を参照して、本発明に係る電気機器及び照明器具の実施形態を説明する。各図において同一の構成要素には同一の符号を付して重複する説明を省略する。実施形態に係る照明器具は、放電ランプの点灯装置として使用されるものである。点灯装置１０は、組み立て完成状態において図１に示されるようであり、ベースケース１１とカバーケース１２とを備えている。
【００１８】
ベースケース１１は、略矩形状を有する底板１３と、この底板１３の二長辺から立ち上がるように折曲げられて形成された側壁１４とを有している。図２及び図４に示されるように、ベースケース１１内には、絶縁シート１５が敷設され、回路基板２０が設けられている。絶縁シート１５は、ベースケース１１の底板１３に沿って敷設され、底板１３と側壁１４とにより形成される角においてベースケース１１の内側へ折り曲げられ、底板１３から僅かに上の位置において、長手方向に延びる折目１５ａによってベースケース１１の外側へ折り曲げられ、回路基板２０を載置する棚部１６が形成されている。
【００１９】
カバーケース１２は天板１７及び側壁１８を有し、ベースケース１１の蓋となるものであって、回路基板２０及び回路基板２０に実装された電気部品２１を内包するものである。カバーケース１２の天板１７は、最上部の平坦な中央天板１７ａと、この中央天板１７ａの二長辺から傾斜するように延びるサイド天板１７ｂとにより構成されている。カバーケース１２の長手方向の両端部には、開口部の形状に合致する蓋１９が中央天板１７ａから折り曲げられて設けられている。
【００２０】
図２に示すように回路基板２０には、点灯装置の電子回路を構成する電気部品２１が実装されている。回路基板２０の中央付近には電解コンデンサ２１ａが実装され、回路基板２０の一方の端部には入力側コネクタ２２が実装され、回路基板２０の他方の端部には出力側コネクタ２３が実装されている。図２及び図３に示すように、電解コンデンサ２１ａを挟む位置には、コイル部品としての一対のトランス２１ｂが実装されており、一方のトランス２１ｂの近傍にはパワートランジスタ２１ｃが実装されている。上記入力側コネクタ２２に供給される例えば商用交流が点灯装置の電子回路を構成する電気部品２１により所定の電源電圧とされて出力側コネクタ２３に出力される。
【００２１】
図４に示す通り、本実施形態では、一対のトランス２１ｂのボビン２４における上鍔２４ａの少なくとも中央部と、コア２５における頭頂部２５ａとの間が、ボビン２４と一体の樹脂により形成された陵部２６となっている。コア２５における頭頂部２５ａは中央天板１７ａに沿った平坦部を構成し、この陵部２６はサイド天板１７ｂに沿った陵部を構成する。
【００２２】
以上の通りに構成されていることにより、図１に示した点灯装置１０をトランス２１ｂの部分において断面図とした図４に示されているように、一対のトランス２１ｂはカバーケース１２の天板１７及び側壁１８の内面に沿った形状を有し、カバーケース１２の両端部側へ連通する隙間が殆ど形成されないので、電解コンデンサ２１ａの蒸発・噴霧ガスを留められることになる。また、トランス２１ｂにおいて、カバーケース１２の天板１７及び側壁１８の内面に沿った部分において、カバーケース１２の天板１７及び側壁１８の間に間隙が生じる場合には、覆われている絶縁シート１５とトランス２１ｂとの間に絶縁性の樹脂などを充填して間隙を塞ぐようにしても良い。
【００２３】
図４に示されているように、ベースケース１１における底板１３の幅寸法が短く、トランス２１ｂの側方には他の電子部品が実装されることもないので、側壁１４がトランス２１ｂにおけるボビン２４の下側フランジ２４ｄの端面に沿っている。トランス２１ｂにおけるコイル部２８の側面と上記側壁１４（或いはカバーケースの側壁１８）との間隙２９は極めて狭く、筐体が小型に形成されている。
【００２４】
従って、図３及び図４により明らかな通り、電解コンデンサ２１ａにおける電解液の蒸発・噴霧ガスが噴出した場合にも当該ガスが一対のトランス２１ｂの間の空間に留まり、上記間隙２９を介して蓋１９へ漏れる量は極めて僅かである。このため、組成が概ね水分である電解液の蒸発・噴霧ガスは噴出当初において一対のトランス２１ｂの間の空間に存在するものの、時間経過と共に冷却されて水となり、目視可能な蒸発・噴霧ガスとして筐体外に漏れ出す虞は少ない。
【００２５】
このように本実施例では、回路基板２０に実装された電気部品である一対のトランス２１ｂを利用して電解液の蒸発・噴霧ガスのトラップ構造を構築するため、構成が複雑となることがなく、しかも安価に済ませることができる。また、ボビン２４と一体の樹脂により形成された陵部２６を別体の構成とする場合には、トランス２１ｂのボビン２４についても現状のものを用いることができ、既に実装されているトランス２１ｂに後から加工をすれば良く便利である。
【００２６】
図５に、本発明に係る照明器具の実施形態を示す。照明器具３０は、天井面などに直付けされる照明器具であり、略枠状の器具本体３７の両端に一対のランプソケット３８、３８が設けられている。このランプソケット３８、３８には、放電ランプである直管形蛍光ランプ３９が装着されている。また、器具本体３１は、蛍光ランプ３９に対向して平面状の反射板３２を取り付けており、この反射板３２の表面は反射面３２ａとなっている。
【００２７】
また、器具本体３１は、反射板３２の内側において、図１に示した放電ランプの点灯装置１０をベースケース１１の底板１３に設けた取付孔１３ａに通したねじにより固定している。そして、放電ランプの点灯装置１０に給電されることにより、蛍光ランプ３９が点灯する。
【００２８】
照明器具３０は、放電ランプの小型な点灯装置１０が備えられるので、狭い配設スペースに実装することができ、放電ランプの点灯装置１０の電解コンデンサ２１ａにおける電解液の蒸発・噴霧ガスが噴出した場合にも当該ガスが筐体外に漏れ出す虞は少ない。このため、使用者が発煙と誤認することを防止可能であるので、使用者に誤った不安を与えることなく安心して使用されるものである。
【符号の説明】
【００２９】
１０  点灯装置
１１  ベースケース
１２  カバーケース
１５  絶縁シート
２０  回路基板
２１  電気部品
２１ａ  電解コンデンサ
２１ｂ  トランス
２６  陵部
【先行技術文献】
【特許文献】
【００３０】
【特許文献１】特開２００５−４４８６８号公報
【特許文献２】特開２００６−２８６９６９号公報
【図１】
2010258163.tif 000003
【図２】
2010258163.tif 000004
【図３】
2010258163.tif 000005
【図４】
2010258163.tif 000006
【図５】
2010258163.tif 000007